(57)【要約】【課題】プーリのロープ巻き込み箇所周辺を包囲することで、手指の巻き込みを効果的に防止するとともに、滑車に容易に装着することができる巻き込み防止装置及びこれを備えた滑車を提供する。【解決手段】ロープＲを巻掛けるプーリ１０１、及びプーリの回転軸１０２を軸支する支持体１１０を備えた滑車１００に装備される巻き込み防止装置１であって、プーリから繰り出されたロープを挿通する挿通部１５を備えて滑車の両側面の少なくとも一部を覆うカバー１０と、カバーを支持体に着脱する着脱機構２０と、を備え、着脱機構は、支持体に設けた被掛止部１１１と、カバーに設けられて被掛止部を着脱自在に掛止する掛止爪（２１、２２）と、掛止爪（２２）を動作させることにより被掛止部に着脱させる動作機構３０と、を備えた。【選択図】図２
2011225318.tif 000002
【特許請求の範囲】
【請求項１】
ロープを巻掛けるプーリ、及び該プーリの回転軸を軸支する支持体を備えた滑車に装備される巻き込み防止装置であって、
前記プーリから繰り出されたロープを挿通する挿通部を備えて前記滑車の両側面の少なくとも一部を覆うカバーと、該カバーを前記支持体に着脱する着脱機構と、を備え、
前記着脱機構は、前記支持体に設けた被掛止部と、前記カバーに設けられて該被掛止部を着脱自在に掛止する掛止爪と、該掛止爪を動作させることにより前記被掛止部に着脱させる動作機構と、を備えたことを特徴とする巻き込み防止装置。
【請求項２】
前記挿通部を開閉する開閉片を備えたことを特徴とする請求項１記載の巻き込み防止装置。
【請求項３】
前記掛止爪が前記支持体を掛止する方向に弾性付勢されていることを特徴とする請求項１又は２記載の巻き込み防止装置。
【請求項４】
前記開閉片は、前記挿通部を閉止する方向に弾性付勢されていることを特徴とする請求項２又は３記載の巻き込み防止装置。
【請求項５】
請求項１乃至４の何れか一項記載の巻き込み防止装置を備えたことを特徴とする滑車。
【発明の詳細な説明】
【技術分野】
【０００１】
本発明は、工事資材や工具等をロープを用いて高所に引き上げる際に使用される滑車の改良に関し、特に滑車を構成するプーリ及びプーリを支持する支持体と、滑車によって引き取られるロープとの間に作業員の手や身体の一部が巻き込まれる事故を防止するための巻き込み防止装置及び滑車に関する。
【背景技術】
【０００２】
架空電線を支持する鉄塔や電柱等にて行われる高所作業に必要な工事資材や工具等は、鉄塔等の適所から吊り下げられた滑車と、滑車を構成するプーリに巻き掛けられたロープを利用して地表から引き上げられる。
鉄塔等の上では、資材等が鉄塔等に衝突しないように作業者がロープの通過位置を調整しながら搬送されてくる資材等を受領する。このとき、誤って手や身体の一部等を滑車とロープとの間に巻き込んでしまうことがある。
このような巻き込み事故を防止するべく、特許文献１には、ロープを通過させるための切欠き部を両端中央部に備えた略Ｈ型の底板と、底板の側縁部の夫々から対向して立設され、回転軸に係合可能な側壁を備えた滑車用安全カバーが記載されている。特許文献１においては、滑車にカバーを取り付けることにより、指等がロープと滑車との間に入りにくい構造としたので、指等が挟まれる事故を効果的に予防でき、送電鉄塔上の作業をより安全かつ効率的に行うことができる。
【先行技術文献】
【特許文献】
【０００３】
【特許文献１】特開２００７−１０６５１７公報
【発明の概要】
【発明が解決しようとする課題】
【０００４】
しかしながら特許文献１記載の発明では、底板の切欠き部分が開放状態にあり、滑車とロープの接触する箇所が完全には包囲されていないため、切欠き部分或いはロープと滑車との間に誤って手指を巻き込む余地が残されており、災害防止の効果が十分ではないという問題がある。また、金車に安全カバーを取り付ける際、金車固定用ナットを外す必要があり、安全カバーの取り付け作業が繁雑であるという問題がある。
本発明は、上述の事情に鑑みてなされたものであり、プーリのロープ巻き込み箇所周辺を包囲することで、手指の巻き込みを効果的に防止するとともに、滑車に容易に装着することができる巻き込み防止装置及びこれを備えた滑車を提供することを目的とする。
【課題を解決するための手段】
【０００５】
上記の課題を解決するために、請求項１に記載の発明は、ロープを巻掛けるプーリ、及び該プーリの回転軸を軸支する支持体を備えた滑車に装備される巻き込み防止装置であって、前記プーリから繰り出されたロープを挿通する挿通部を備えて前記滑車の両側面の少なくとも一部を覆うカバーと、該カバーを前記支持体に着脱する着脱機構と、を備え、前記着脱機構は、前記支持体に設けた被掛止部と、前記カバーに設けられて該被掛止部を着脱自在に掛止する掛止爪と、該掛止爪を動作させることにより前記被掛止部に着脱させる動作機構と、を備えた巻き込み防止装置を特徴とする。
請求項１の発明では、ロープが挿通部内を軸方向に移動する。また、巻き込み防止装置は、可動式の掛止爪にて支持体に掛止される。
請求項２に記載の発明は、前記挿通部を開閉する開閉片を備えた請求項１記載の巻き込み防止装置を特徴とする。
請求項２の発明では、挿通部が開閉するのでロープの脱着が容易である。
【０００６】
請求項３に記載の発明は、前記掛止爪が前記支持体を掛止する方向に弾性付勢されている請求項１又は２記載の巻き込み防止装置を特徴とする。
請求項３の発明は、掛止爪が支持体を掛止する方向に弾性付勢されているので、掛止爪を支持体に合わせて調整する作業が簡便となり、巻き込み防止装置の滑車への脱着が容易となる。
請求項４に記載の発明は、前記開閉片は、前記挿通部を閉止する方向に弾性付勢されている請求項２又は３記載の巻き込み防止装置を特徴とする。
請求項４の発明は、開閉片が挿通部を閉止する方向に弾性付勢されているので、ロープの脱着が容易である。
請求項５に記載の発明は、請求項１乃至４の何れか一項記載の巻き込み防止装置を備えた滑車を特徴とする。
請求項５の滑車は、請求項１乃至４の巻き込み防止装置の各効果を得ることができる。
【発明の効果】
【０００７】
本発明によれば、挿通部にロープを挿通するので、ロープと巻き込み防止装置との間に手指が挟まれる虞が減少する。また、滑車の両側面の少なくとも一部がカバーにより覆われているので、プーリのロープ巻き込み箇所に手指が挟まれる虞が減少する。また、動作機構により掛止爪を動作させて支持体の被掛止部に掛止するので、巻き込み防止装置の取り付けが容易である。
【図面の簡単な説明】
【０００８】
【図１】本発明の第一の実施形態に係る巻き込み防止装置の使用状態を示す斜視図である。
【図２】（ａ）（ｂ）は第一の実施形態に係る巻き込み防止装置の分解斜視図である。
【図３】第一の実施形態に係る巻き込み防止装置の断面図である。
【図４】開閉片の平面図であり、（ａ）乃至（ｃ）は、切欠きにロープを取り付ける手順を示す図である。
【図５】開閉片の平面図であり、（ａ）乃至（ｃ）は、切欠きからロープを取り外す手順を示す図である。
【図６】開閉片の回動軸部分の拡大断面図である。
【図７】第二の実施形態に係る巻き込み防止装置の断面図である。
【図８】動作機構のうち動作片部分を示した平面図である。
【図９】第三の実施形態に係る巻き込み防止装置の断面図である。
【図１０】動作機構のうち動作片部分を示した平面図である。
【図１１】第四の実施形態に係る巻き込み防止装置の断面図であり、（ａ）は全体図であり、（ｂ）は可動掛止爪部分のみを示した図である。
【図１２】第五の実施形態に係る巻き込み防止装置を示す図であり、（ａ）は斜視図であり、（ｂ）は断面図である。
【図１３】開閉片の平面図であり、（ａ）乃至（ｃ）は、切欠きにロープを取り付ける手順を示す図である。
【発明を実施するための形態】
【０００９】
〔第一の実施形態〕
以下、本発明の第一の実施形態を図１乃至図３に基づいて説明する。図１は、本発明の第一の実施形態に係る巻き込み防止装置の使用状態を示す斜視図である。図２は、本実施形態に係る巻き込み防止装置の分解斜視図である。図３は、本実施形態に係る巻き込み防止装置の断面図である。本実施形態に係る巻き込み防止装置は、ロープを挿通する挿通孔及び滑車に着脱する着脱機構を備えた点に特徴がある。
本発明に係る巻き込み防止装置１が装着される滑車１００は、ロープ又はチェーン等の線状部材を巻き掛けるプーリ１０１と、プーリ１０１の回転軸１０２を軸支する支持体１１０と、支持体１１０の上方に備えられて、送電鉄塔の腕金等から滑車１００を吊り下げ支持可能にする吊り具１２０と、を備える。
巻き込み防止装置１は、滑車１００の両側面の少なくとも一部を覆うカバー１０と、カバー１０を支持体１１０に着脱する着脱機構２０と、を備えている。着脱機構２０は、支持体１１０の最下方に設けられた被掛止部１１１と、カバー１０に設けられて被掛止部１１１を着脱自在に掛止する掛止爪（固定掛止爪２１、可動掛止爪２２）と、可動掛止爪２２を動作させることにより被掛止部１１１に着脱させる動作機構３０と、を備えている。
【００１０】
カバー１０は、滑車１００の下方部分を覆う部材であり、滑車１００に着脱自在に取り付けられる。カバー１０は、プーリ１０１の円板面側における滑車１００の両側面を覆う側板１１と、滑車１００の底面側を覆う底板１２と、プーリ１０１のロープ溝１０３の一部を覆うとともにプーリ１０１から繰り出されたロープＲが通過する切欠き１４を備えた挿通板１３と、から構成される。
底板１２には、滑車１００側に向けて突出するとともに、被掛止部１１１を着脱自在に掛止する固定掛止爪２１、及び可動掛止爪２２が配置されており、可動掛止爪２２は動作機構３０により動作する。
動作機構３０は、底板１２に開口されて可動掛止爪２２を被掛止部１１１に対して接近又は離間させる方向（矢印Ａ方向）に案内する案内孔３１と、側面にスライド溝３３を有し、案内孔３１に沿って摺動するスライド部材３２と、一端部に可動掛止爪２２を備え、他端部側にネジ部３４が形成されてスライド部材３２を貫通することによりスライド部材３２内を軸方向（矢印Ｂ方向）に移動する軸部３５と、外周部にローレット加工が施されてネジ部３４に螺合する丸ナット３６と、丸ナット３６とスライド部材３２との間に配置されたワッシャー３７と、軸部３５の他端部に配置され、丸ナット３６がネジ部３４から脱落することを防止する割りピン３８と、を備えている。
動作機構３０のうち案内孔３１及びスライド部材３２は、可動掛止爪２２が固定掛止爪２１に対して接近又は離間するように、可動掛止爪２２を底板１２の板面に沿った方向に移動させる。この移動により、固定掛止爪２１と可動掛止爪２２との離間距離を、被掛止部１１１の幅に合致させることができる。また、ネジ部３４及び丸ナット３６は、可動掛止爪２２を軸部３５の軸方向に、すなわち底板１２の板面と交差する方向（矢印Ｂ方向）に移動させる。この移動により、可動掛止爪２２の底板１２からの距離を被掛止部１１１の厚さに合致させることができる。
【００１１】
本実施形態においては、ネジ部３４及び丸ナット３６により可動掛止爪２２の底板１２からの高さ位置を調整しつつ、被掛止部１１１を可動掛止爪２２と底板１２とにより挟圧して巻き込み防止装置１を滑車１００に固定する。
なお、可動掛止爪２２を固定掛止爪２１に接近する方向に弾性付勢するコイルバネや板バネ等の付勢部材を備えてもよい。付勢部材を備えることで、可動掛止爪２２と固定掛止爪２１との離間距離を被掛止部１１１の幅に調整する必要がなくなり、装着が容易になるとともに、巻き込み防止装置１が滑車１００から脱落しにくくなる。
【００１２】
ここで、切欠き１４を開閉する開閉片４０について、図４乃至図６に基づいて説明する。図４は、開閉片の平面図であり、（ａ）乃至（ｃ）は、切欠きにロープを取り付ける手順を示す図である。図５は、開閉片の平面図であり、（ａ）乃至（ｃ）は、切欠きからロープを取り外す手順を示す図である。図６は、開閉片の回動軸部分の拡大断面図である。
図示するように、挿通板１３は切欠き１４を開閉する一対の開閉片４０を備えている。開閉片４０は、切欠き１４の最奥部１４ｂ側から順に、ロープＲの外形形状に沿って湾曲した凹状部４１と、閉止時に互いに他の開閉片４０と当接する当接部４２と、切欠き１４の長手方向に対して所定の角度傾斜を有し、ロープＲの挿入時にロープＲに押圧される斜辺部４３と、開閉片４０を回動自在に軸支する回動軸４４と、回動軸４４に備えられて、開閉片４０を閉止方向（矢印Ｃ１方向）に弾性付勢するコイルスプリング４５（図６参照）と、切欠き１４を開放させる際に操作する操作爪４６と、を備える。
【００１３】
開閉片４０は、挿通板１３の板面に沿って回動するように、回動軸４１によって挿通板１３に軸支されている。夫々の開閉片４０はコイルスプリング４５の付勢力により、切欠き１４の幅方向中間部に位置する当接部４２において当接している。開閉片４０の閉止時において、２つの開閉片４０の凹状部４１と、切欠き１４の最奥部１４ｂとは、ロープＲが挿通される挿通孔１５（挿通部）となる。巻き込み防止装置１の使用時には、ロープＲが挿通孔１５内を摺動する。
回動軸４４は、斜辺部４３よりも切欠き１４の開口部１４ａ側に位置しているため、挿通孔１５にロープＲが挿通された状態においては、ロープＲを切欠き１４の開口部１４ａ側に向けて押圧したとしても、開閉片４０の開放が阻止される構成である。
操作爪４６は、切欠き１４の開口部１４ａ側に配置され、操作爪４６を互いに近接する方向（矢印Ｄ方向、図５（ａ）参照）に押圧することで、コイルスプリング４５の力に抗して回動し、切欠き１４が開放され、ロープＲを取り外すことができる。
【００１４】
上述のように構成された巻き込み防止装置の使用法について説明する。
巻き込み防止装置１を滑車１００に装着するには、可動掛止爪２２を固定掛止爪２１及び底板１２から離間させた状態とする。巻き込み防止装置１を滑車１００の下方から接近させ、固定掛止爪２１を被掛止部１１１に掛止した状態で被掛止部１１１の下面と底板１２の上面とを当接させる。続いて、可動掛止爪２２を案内孔３１に沿って固定掛止爪２１側に移動させ、可動掛止爪２２と固定掛止爪２１との距離を被掛止部１１１の幅に調整する。そして、丸ナット３６を回転させて被掛止部１１１を可動掛止爪２２と底板１２とで挟圧するように固定する。
また、巻き込み防止装置１にロープＲを装着するには、図４（ａ）に示すように、ロープＲを切欠き１４に挿入し、そのまま最奥部１４ｂに向けて押圧する。すると、（ｂ）に示すようにロープＲが斜辺部４３を押圧することにより開閉片４０が開放方向（矢印Ｃ２方向）に回動し、（ｃ）に示すように、ロープＲが挿通孔１５内にセットされる。
巻き込み防止装置１からロープＲを取り外すには、図５（ａ）に示すように、操作爪４６を互いに近接する方向へ押圧する。すると、（ｂ）に示すように開閉片４０が開放し、（ｃ）に示すようにロープＲを取り外すことができる。
巻き込み防止装置１を滑車１００から取り外すには、取り付けと逆の手順を踏めばよいので、その説明を省略する。
【００１５】
以上のように、本実施形態によれば、ロープが挿通部に挿通されているので、ロープとプーリとの間に手等が挟まれる虞が減少する。また、プーリのロープ巻き込み箇所周辺をカバーにより一体的に包囲するので、手等の巻き込みを効果的に防止することができる。また、装着の際に工具を必要とせず、支持体の被掛止部を掛止爪にて掛止するだけなので、着脱が容易である。また、ロープを切欠きに押し込むだけでロープを装着でき、操作爪を互いに近接させる方向に押圧するだけで切欠きが開放してロープを取り外すことができるので、ロープの脱着が容易である。また、装着されたロープを切欠きの開口部側に移動させてもロープが挿通孔から抜けないので、安全性が高い。
【００１６】
〔第二の実施形態〕
本発明の第二の実施形態について図７及び図８に基づいて説明する。本実施形態に係る巻き込み防止装置は、可動掛止爪を動作させる動作片を備えた点に特徴がある。図７は、第二の実施形態に係る巻き込み防止装置の断面図である。図８は、動作機構のうち動作片部分を示した平面図である。以下、第一の実施形態と同一の部材には同一の符号を付してその説明を省略する。
本実施形態に係る巻き込み防止装置２は、第一の実施形態に係る動作機構３０のワッシャー３７の代わりに、可動掛止爪２２を固定掛止爪２１に対して接離移動させる動作片５１を備えている。動作機構５０は、動作片５１と、動作片５１を底板１２に回動自在に軸支する回動軸５２と、軸部３５を案内する案内孔５３と、動作片５１を操作する操作爪５４と、を備える。
動作片５１を操作爪５４によって回動軸５２回りに回動させると、案内孔５３と案内孔３１とが連通する位置に軸部３５が移動する。その結果、可動掛止爪２２が固定掛止爪２１に対して接離移動する。
【００１７】
図８においては、動作片５１を矢印Ｅ１方向に回動させることにより、可動掛止爪２２が固定掛止爪２１に接近し、動作片５１を矢印Ｅ２方向に回動させることにより、可動掛止爪２２が固定掛止爪２１から離間する。
また、回動軸５２には、動作片５１を矢印Ｅ方向に弾性付勢するコイルスプリング（不図示）を備えてもよい。コイルスプリングの付勢力により、可動掛止爪２２が常に固定掛止爪２１に接近する方向に付勢されるので、可動掛止爪２２と固定掛止爪２１との離間距離を被掛止部１１１の幅に調整する必要がなくなり、装着が容易になるとともに、巻き込み防止装置２が滑車１００から脱落しにくくなる。なお、コイルスプリングではなく、第一の実施形態と同様に、可動掛止爪２２を固定掛止爪２１に接近する方向に弾性付勢するコイルバネや板バネ等の付勢部材を備えてもよい。
以上のように本実施形態においては、可動掛止爪を動作させる動作片を備えたので、巻き込み防止装置の滑車への脱着が容易となる。
【００１８】
〔第三の実施形態〕
本発明の第三の実施形態について図９及び図１０に基づいて説明する。本実施形態に係る巻き込み防止装置は、被掛止部を掛止する一対の掛止爪を何れも可動式にするとともに、２つの掛止爪を一度に動作させる動作片を備えた点に特徴がある。図９は、第三の実施形態に係る巻き込み防止装置の断面図である。図１０は、動作機構のうち動作片部分を示した平面図である。以下、第一及び第二の実施形態と同一の部材には同一の符号を付してその説明を省略する。
本実施形態に係る巻き込み防止装置３は、一対の可動掛止爪２２と、可動掛止爪２２を互いに接近又は離間させる方向に移動させる動作機構６０と、備える。なお、可動掛止爪２２を底板１２に沿って、或いは軸部３５の軸方向に沿って移動可能にするスライド部材等のその他の機構は、第一及び第二の実施形態と同様である。
動作機構６０は、円板状の動作片６１と、軸部３５を案内する案内孔６３と、動作片６１を操作する操作片６４と、を備える。動作片６１を操作片６４によって回動させると、案内孔６３及び案内孔３１とが連通する位置に軸部３５が移動する。その結果、可動掛止爪２２が互いに接近又は離間する。
【００１９】
図１０においては、動作片６１を矢印Ｆ１方向に回動させることにより、可動掛止爪２２が互いに接近し、動作片６１を矢印Ｆ２方向に回動させることにより、可動掛止爪２２が互いに離間する。
なお、第一の実施形態と同様に、可動掛止爪２２を互いに接近する方向に弾性付勢するコイルバネや板バネ等の付勢部材を備えてもよい。
以上のように本実施形態においては、２つの掛止爪を可動式にするとともに、これらを一度に動作させる動作片を備えたので、滑車への脱着が容易となる。
【００２０】
〔第四の実施形態〕
本発明の第四の実施形態について図１１に基づいて説明する。本実施形態に係る巻き込み防止装置は、可動掛止爪を有する軸部に回動軸を設け、この回動軸回りに可動掛止爪を回動させることにより掛止爪を動作させる点に特徴がある。図１１は、第四の実施形態に係る巻き込み防止装置の断面図であり、（ａ）は全体図であり、（ｂ）は可動掛止爪部分のみを示した図である。以下、第一乃至第三の実施形態と同一の部材には同一の符号を付してその説明を省略する。
本実施形態に係る巻き込み防止装置４における動作機構７０は、軸部３５の適所に２つの可動掛止爪２２が互いに接近又は離間するように動作させる回動軸７１と、底板１２に設けられて回動軸７１を軸支する軸受７２と、軸部３５の端部のうち、可動掛止爪２２とは反対側の端部に配置されて、可動掛止爪２２が所定角度以上回動することを阻止するストッパ７３及びストッパ７４と、を備える。また、可動掛止爪２２は動作片６１によって動作する。
【００２１】
可動掛止爪２２が回動軸７１回りに回動することにより、２つの可動掛止爪２２は互いに接近又は離間する。軸部３５は、底板１２を貫通しており、底板１２の下方から突出した部分にストッパ７３及びストッパ７４が配置されている。ストッパ７３は、可動掛止爪２２が閉止方向（矢印Ｇ１方向）に所定角度以上回動することを阻止する。また、ストッパ７４は、可動掛止爪２２が開放方向（矢印Ｇ２方向）に所定角度以上回動することを阻止する。
ストッパ７３と底板１２との間には、案内孔６３及び操作片６４を備えた円板状の動作片６１が配置されている。動作片６１を回動させると、軸部３５が案内孔６３に案内されて、回動軸７１を中心に回動し、可動掛止爪２２が開閉する。
なお、回動軸７１に、可動係止片２２を互いに近接する方向（閉止する方向）に弾性付勢するコイルスプリングを備えてもよい。
以上のように本実施形態においては、双方の掛止爪を可動式にするとともに、これらを一度に動作させる動作片を備えたので、滑車への脱着が容易となる。
【００２２】
〔第五の実施形態〕
本発明の第五の実施形態について図１２に基づいて説明する。本実施形態に係る巻き込み防止装置は、掛止爪を板バネから構成した点に特徴がある。図１２は、本実施形態に係る巻き込み防止装置を示す図であり、（ａ）は斜視図であり、（ｂ）は断面図である。以下、第一乃至第四の実施形態と同一の部材には同一の符号を付してその説明を省略する。
本実施形態に係る巻き込み防止装置５における着脱機構８０は、底板１２の滑車１００側に突出する掛止爪８１と、底板１２の他の面に設けられた引手８５と、を備える。
掛止爪８１は板バネから構成され、一端部側に底板１２に固定される固定部８２と、他端部側に断面視略くの字状に屈曲形成された掛止部８３を有し、固定部８２と掛止部８３との間がバネ部８４（動作機構）となっている。掛止部８３は掛止爪８１の自由端に配置されており、バネ部８４の弾性変形により動作する。底板１２には２つの掛止爪８１が対向配置され、掛止部８３の屈曲部分が他の掛止爪８１に向けて突出する構成である。固定部８２は、底板１２にカシメ固定されている。
【００２３】
巻き込み防止装置５の滑車１００への装着時に、掛止部８３と被掛止部１１１とが当接すると、バネ部８４の弾性変形により、夫々の掛止部８３が互いに離間する方向へ動作し、さらに滑車１００を底板１２に向けて押圧すると、夫々の掛止部８３が互いに近接する方向へ動作して、被掛止部１１１が掛止部８３によって掛止される。
巻き込み防止装置５を滑車１００から取り外す場合には、引手８５を持って巻き込み防止装置５を滑車１００から離間させることで、掛止部８３が互いに離間して掛止状態が解除され、容易に取り外すことができる。
以上のように本実施形態によれば、掛止爪を板バネから構成したので、巻き込み防止装置の脱着が容易となる。
【００２４】
〔第六の実施形態〕
本発明の第六の実施形態について図１３に基づいて説明する。本実施形態に係る巻き込み防止装置は、切欠きを開閉する開閉片を１枚の板状部材から構成した点に特徴がある。図１３は、開閉片の平面図であり、（ａ）乃至（ｃ）は、切欠きにロープを取り付ける手順を示す図である。以下、第一乃至第五の実施形態と同一の部材には同一の符号を付してその説明を省略する。
開閉片９０は、切欠き１４の幅方向に進退移動して切欠き１４を開閉する１枚の板状部材である。開閉片９０の最奥部１４ｂ側はロープＲの外形形状に沿って湾曲した凹状部９１であり、最奥部１４ｂと凹状部９１とでロープＲが通過する挿通孔１６を構成する。挿通板１３は開閉片９０を案内する案内孔１７を備え、開閉片９０は、案内孔１７に案内されるとともに開閉片９０を挿通板１３に固定するネジ９２を備える。
（ａ）乃至（ｃ）に示すように、開閉片９０を切欠き１４から退避させて、ロープＲを切欠き１４内に挿入し、開閉片９０にて切欠き１４を閉止し、ネジ９２を締めることにより、開閉片９０を挿通板１３に固定する。なお、切欠き１４を閉止する方向に開閉片９０を弾性付勢するコイルバネや板バネ等の付勢部材を備えてもよい。
以上のように、本実施形態によれば、開閉片をネジにて固定するので、巻き込み防止装置の使用時に、ロープが外れる虞が減少する。
【符号の説明】
【００２５】
１、２、３、４、５…巻き込み防止装置、１０…カバー、１１…側板、１２…底板、１３…挿通板、１４…切欠き、１４ａ…開口部、１４ｂ…最奥部、１５…挿通孔、１６…挿通孔、１７…案内孔、２０…着脱機構、２１…固定掛止爪、２２…可動掛止爪、３０…動作機構、３１…案内孔、３２…スライド部材、３３…スライド溝、３４…ネジ部、３５…軸部、３６…丸ナット、３７…ワッシャー、３８…ピン、４０…開閉片、４１…凹状部、４１…回動軸、４２…当接部、４３…斜辺部、４４…回動軸、４５…コイルスプリング、４６…操作爪、５０…動作機構、５１…動作片、５２…回動軸、５３…案内孔、５４…操作爪、６０…動作機構、６１…動作片、６３…案内孔、６４…操作片、７０…動作機構、７１…回動軸、７２…軸受、７３、７４…ストッパ、８０…着脱機構、８１…掛止爪、８２…固定部、８３…掛止部、８４…バネ部、８５…引手、９０…開閉片、９１…凹状部、９２…ネジ、１００…滑車、１０１…プーリ、１０２…回転軸、１０３…ロープ溝、１１０…支持体、１１１…被掛止部、１２０…吊り具
【図１】
2011225318.tif 000003
【図２】
2011225318.tif 000004
【図３】
2011225318.tif 000005
【図４】
2011225318.tif 000006
【図５】
2011225318.tif 000007
【図６】
2011225318.tif 000008
【図７】
2011225318.tif 000009
【図８】
2011225318.tif 000010
【図９】
2011225318.tif 000011
【図１０】
2011225318.tif 000012
【図１１】
2011225318.tif 000013
【図１２】
2011225318.tif 000014
【図１３】
2011225318.tif 000015